(57)【特許請求の範囲】
【請求項１】
内壁板、外壁板、及び前記内壁板と前記外壁板の間の補強板をＨ形状に組み合わせた基本単位を紙段ボールシートで構成し、前記基本単位の繰り返しを内部構造とする底部と、
前記紙段ボールシートで構成された前記内部構造を有し、前記底部の上面に連続する内側面を有する側壁部と、
を備え、前記底部と前記側壁部とでバスタブ形状を構成し、前記底部及び前記側壁部のそれぞれの前記内壁板が前記バスタブ形状の内壁の５面をなすことを特徴とする浴槽。
【請求項２】
内壁板、外壁板及び前記内壁板と前記外壁板の間の補強板をＨ形状に組み合わせた基本単位を紙段ボールシートで構成し前記基本単位の繰り返しを内部構造とする底部、及び、前記紙段ボールシートで構成された前記内部構造を有し前記底部の上面に連続する内側面を有する側壁部とでバスタブ形状を構成した浴槽と、
床、側壁及び天井のうち少なくとも１箇所が、前記紙段ボールシートで構成された前記内部構造を有する前記床、前記側壁及び前記天井と、
を備え、前記底部及び前記側壁部のそれぞれの前記内壁板が前記バスタブ形状の内壁の５面をなすことを特徴とすることを特徴とする浴室。
【請求項３】
洗い場と、
該洗い場の下に設けられ前記浴槽のお湯を循環して通すパイプと、
を更に備え、前記パイプも紙段ボールシートで構成されていることを特徴とする請求項２に記載の浴室。
【発明の詳細な説明】
【技術分野】
【０００１】
本発明は、特に廃棄時にリサイクルが容易で環境に優しい浴槽及びこの浴槽を用いた浴室に関する。
【背景技術】
【０００２】
従来、浴槽の側壁部及び底部として使用される材料としては、プラスチックや陶器が一般的である（特許文献１及び２参照）。しかし浴槽は、通常、入浴する人間の体積に応じた比較的大きな構造物であることから、天然素材でないプラスチック等の浴槽を廃棄物として処理する際には、分解や再生といったリサイクル処理の負担が大きくなる。また廃棄物処理が行われず、例えば浴槽がそのまま空き地や山林に不法投棄等されるような場合には、環境への負荷が一段と大きくなることは言うまでもない。
【先行技術文献】
【特許文献】
【０００３】
【特許文献１】特開２００５−３２８９６５公報
【発明の概要】
【発明が解決しようとする課題】
【０００４】
本発明は、従来は検討されていなかった段ボールを、浴槽の材料として用いることにより、運搬が容易で、且つ、廃棄時にリサイクルが容易で環境に優しい浴槽、及びこの浴槽を用いた浴室を提供することを目的とする。
【課題を解決するための手段】
【０００５】
上記目的を達成するために、本発明の浴槽に係る一態様は、内壁板、外壁板、及び内壁板と外壁板の間の補強板をＨ形状に組み合わせた基本単位を紙段ボールシートで構成し、基本単位の繰り返しを内部構造とする底部と、紙段ボールシートで構成された内部構造を有し、底部の上面に連続する内側面を有する側壁部と、を備え、底部と側壁部とでバスタブ形状を構成し、底部及び側壁部のそれぞれの内壁板がバスタブ形状の内壁の５面をなすことを要旨とする。また本発明の浴室に係る一態様は、内壁板、外壁板及び内壁板と外壁板の間の補強板をＨ形状に組み合わせた基本単位を紙段ボールシートで構成し基本単位の繰り返しを内部構造とする底部、及び、紙段ボールシートで構成された内部構造を有し底部の上面に連続する内側面を有する側壁部とでバスタブ形状を構成した浴槽と、床、側壁及び天井のうち少なくとも１箇所が、紙段ボールシートで構成された内部構造を有する床、側壁及び天井と、を備え、底部及び側壁部のそれぞれの内壁板がバスタブ形状の内壁の５面をなすことを要旨とする。
【発明の効果】
【０００６】
本発明によれば、運搬が容易で、且つ、廃棄時にリサイクルが容易で環境に優しい浴槽及び浴室を提供することができる。
【図面の簡単な説明】
【０００７】
【図１】第１の実施の形態に係る浴室の概略を模式的に説明する鳥瞰図（斜視図）である。
【図２】第１の実施の形態に係る浴室の概略を模式的に説明する上面図である。
【図３】図２中のＡ−Ａ線方向から見た断面図である。
【図４】図２中のＢ−Ｂ線方向から見た断面図である。
【図５】肩当て装置及びヘッドレスト装置の概略を斜め下方から見て模式的に説明する斜視図である。
【図６】肩当て装置及びヘッドレスト装置の概略を模式的に説明する鳥瞰図（斜視図）である。
【図７】図４中のＣ部分の拡大図である。
【図８】肩当て装置及びヘッドレスト装置の使用方法を模式的に説明する断面図である。
【図９】ポータブルシャワー装置の概略を模式的に説明する鳥瞰図（斜視図）である。
【図１０】第１放水管の一部の領域と第２放水管の一部の領域と第３放水管の一部の領域とが互いに重なった位置で、それぞれを断面した状態を模式的に示す断面図である。
【図１１】第２の実施の形態に係る浴室の概略を模式的に説明する上面図である。
【図１２】図１１中のＤ−Ｄ線方向から見た断面図である。
【図１３】図１１中のＥ−Ｅ線方向から見た一部断面図である。
【発明を実施するための形態】
【０００８】
次に、図面を参照して、本発明の実施の形態を説明する。以下の図面の記載において、同一又は類似の部分には同一又は類似の符号を付している。但し、図面は模式的なものであり、厚みと平面寸法との関係、各層の厚みの比率等は現実のものとは異なることに留意すべきである。したがって、具体的な厚みや寸法は以下の説明を参酌して判断すべきものである。また図面相互間においても互いの寸法の関係や比率が異なる部分が含まれていることは勿論である。
【０００９】
また以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。更に、以下の説明における「左右」や「上下」の方向は、単に説明の便宜上の定義であって、本発明の技術的思想を限定するものではない。よって、例えば、紙面を９０度回転すれば「左右」と「上下」とは交換して読まれ、紙面を１８０度回転すれば「左」が「右」に、「右」が「左」になることは勿論である。
【００１０】
−−第１の実施形態−−
第１の実施の形態に係る浴槽１の内側の５面のすべては、図１の斜視図中に手前側の側壁部の一部を切り欠いて示すように、中央部の波型の中芯（フルート）と、この中芯を両側から挟む表ライナ及び裏ライナからなる紙製の段ボールシート（紙段ボールシート）からなる。尚、図１に例示したような「両面段ボール」の他「複両面段ボール」や「複々両面段ボール」等であっても本発明の「紙段ボールシート」として使用可能である。
【００１１】
また第１の実施の形態に係る浴室は、この浴槽１と、図２の上面図に示すように、平面パターンで略正方形状をなす床部７と、床部７の正方形の４辺からそれぞれ床面に垂直に立ち上がるように設けられた４個の側壁部１７ａ〜１７ｄと、図３の断面図に示すように、４個の側壁部１７ａ〜１７ｄに同時に接触して設けられた天井部１７ｅと、を備えた躯体構造である。床部７、４個の側壁部１７ａ〜１７ｄ及び天井部１７ｅは、いずれも浴槽１と同様に段ボールからなる。浴室の内側には、床部７、４個の側壁部１７ａ〜１７ｄ、出入扉１９及び天井部１７ｅで囲まれた略直方体状の内部空間が形成され、浴槽１は、図２に示したように、浴室の床面の面積を洗い場面７ａとの間で半分ずつ占めるように配置されている。
【００１２】
＜浴槽の構造＞
浴槽１は、図２に示すように、上から見た平面パターンで略矩形状をなす平板状の底部と、底部の矩形の４辺からそれぞれ底部の主面に垂直に立ち上がるように設けられた４個の側壁部とを備えて、バスタブの形状をなしている。浴槽１は、底部の上面と、４個の側壁部の内側面との５面によって構成される略直方体状の内部空間を有し、この内部空間にお湯を張って、人が入浴することになる。図１に例示した浴槽１の内部空間に溜められるお湯の量は、約３５０ｌ（リットル）である。
【００１３】
図１中の浴槽１の右下の一部に符号１ａ〜１ｃを付して例示したように、浴槽１の底部及び側壁部は、一方の主面を構成する板状の内壁板１ａと、この内壁板１ａと間隔を空けて設けられ、他方の主面を構成する板状の外壁板１ｂと、内壁板１ａ及び外壁板１ｂの間に梁のように架け渡されて設けられた補強板１ｃとの組み合わせからなる、断面がＨ形状の構造を基本単位として、それぞれの内部に有している。
【００１４】
底部及び側壁部は、このＨ形状の構造を上下方向に所定の段数積み重ねて構成されることにより、構造体としての強度を高め、浴槽１としての形状を保持している。Ｈ形状を構成する内壁板１ａ，外壁板１ｂ及び補強板１ｃのそれぞれは、例えば１ｍｍ〜１０ｍｍ程度の厚みの紙段ボールシートで構成されている。
【００１５】
紙段ボールシートの表面は、シリコン樹脂、フッ素樹脂、カチオン性ヌチレン系樹脂、アクリルアミド系樹脂、ビニルアルコール系重合体等を塗布することにより撥水加工を施すことが好ましいが、更に機械的強度を向上させるために、ポリウレア樹脂等でコーティングすることがより好ましい。このポリウレア樹脂のコーティングは、底部及び側壁部の表面だけでなく、例えばＨ形状の梁部分をなす補強板１ｃの表面のような内部にも施すことにより、湿度の高い浴室内に常時配置される浴槽１の防水性及び機械的強度を内部から高めることができる。
【００１６】
図１〜図３に例示したＨ形状の断面構造を構成する内壁板１ａ，外壁板１ｂ及び補強板１ｃはいずれも、両面段ボール、複両面段ボール、複々両面段ボールの他、更なる多重構造からなる強化段ボールであってよい。またＨ形状の断面構造を構成する内壁板１ａ，外壁板１ｂ及び補強板１ｃのそれぞれに用いる紙段ボールシートの種類は互いに同じでもよく、互いに異なってもよい。
【００１７】
また浴槽１をなすバスタブ構造の内壁の５面を構成するためには、互いに独立した５枚の内壁板を接着剤等により互いに接着して構成してもよく、或いは例えばみかん箱タイプの段ボール箱のように５面の連続した１枚の紙段ボールシートを折り曲げて粘着テープや接着剤等により互いに接着しても、底部と４個の側壁部を構成できる。
【００１８】
図２の上面図中の浴槽１の底部の右下に例示したように、底部の矩形の隅部のうちの１個の近傍には、排水口３が設けられている。排水口３は、図４の断面図に示すように、浴槽１の底部を貫通し、浴室の外に延びる排水路に連続している。
【００１９】
底部の上には、図１〜図４に示すように、箱状の座板１１が設けられている。座板１１の内部は中空であり、座板１１には、図示を省略するコンプレッサー等の気泡発生装置からの配管の末端部が接続され、気泡発生装置から浴槽１に溜められたお湯の内部に気泡が送り込まれる。座板１１の内部に送り込まれた気泡は、座板１１の上面の板に形成された複数の孔部１１ａ，１１ｂ，…を介して上方に送り出され、入浴者の主に下半身に対して衝突することで、入浴者の身体にマッサージ効果を与える。
【００２０】
底部の上面の図１中の右側に示す長手方向の一端には、下部が開口した箱状の椅子１３が設けられている。椅子１３は、図１に例示した態様においては、脚部をなす壁の一部が、座板１１の上面の端部の領域の一部に覆い被さるように配置されている。椅子１３の脚部の下端は、例えば座板１１に接触する部分において座板１１の中央部方向に向かって突出している。また脚部の先端に座板１１の孔部１１ａ，１１ｂ，…の寸法に対応する径とされた突起部を複数個設け、これらの突起部を座板１１の孔部１１ａ，１１ｂ，…に緩やかに嵌合させることで、浴槽１の底部及び座板１１から着脱自在に構成できる。以下、浴槽１の内側において、図１中の右側に椅子１３が設けられる位置を「頭側」と定義すると共に、図１中の左側で椅子１３と反対側の位置を「足側」と定義する。
【００２１】
浴槽１の足側の側壁部の内側面には、一対のリング状の足バンド１５ａ，１５ｂが設けられている。足バンド１５ａ，１５ｂは、図１及び図２に示すように、平面パターンで矩形状に近似し、リングの孔が上下方向に貫通して位置するように、リングの側面が浴槽１の側壁部に接触して取り付けられている。足バンド１５ａ，１５ｂのリングの孔には、入浴者の左足及び右足のそれぞれの足指が下側から上側に向かって差し込まれることにより、入浴者の姿勢保持が補助される。例えば、入浴者が座板１１による気泡マッサージを受ける際に、勢いよく噴射される気泡によって不必要に揺れ動く動作が抑制できる。
【００２２】
また浴槽１の内側の頭側と足側の間の左右の側壁部の内側面には、入浴者の右手に対応する位置及び左手に対応する位置に、それぞれ手すり５ａ，５ｂが設けられている。尚、上記した座板１１、椅子１３、一対の足バンド１５ａ，１５ｂ、一対の手すり５ａ，５ｂ等の部材は、いずれも浴槽１と同様に紙段ボールシートで構成できる。
【００２３】
浴槽１の頭側の側壁部の上部には、図１、図２及び図４に示すように、凹部２が形成される。凹部２は略直方体状の空間であり、図４中に点線で例示したように、凹部２の下側には、凹部２の内側に溜まった液体を凹部２の外側に排出する排水溝が形成されている。凹部２の内側には、図５の斜視図に例示した肩当て装置３０と、肩当て装置３０の裏面側に取り付けられたヘッドレスト装置４０とが収納される。
【００２４】
浴室の床部７、側壁部１７ａ〜１７ｄ及び天井部１７ｅは、いずれも浴槽１と同様のＨ形状の断面構造を基本単位として採用し、構造体としての強度が高められている。床部７の上面となる洗い場面７ａは、浴室の側壁部１７ａ〜１７ｄと同様に、紙段ボールシートで構成できる。洗い場面７ａは、図２及び図３に示すように、平面パターンで略矩形状をなし、矩形の周縁部が中央部より低くなるように段差が形成されている。洗い場面７ａの周縁部の浴槽１寄りの一部の領域には、図２に示すように、排水口８が設けられ、排水口８は洗い場面７ａの床面の下を貫通する、図示を省略する排水路に連続している。この排水路は、浴槽１からの排水路の途中に合流している、
【００２５】
図２中の上側に位置する浴室の側壁部１７ａと、洗い場面７ａの右側に位置する浴室の側壁部１７ｄとの間には開口部が形成され、この開口部の位置に出入扉１９が設けられている。出入扉１９は、例えばヒンジ板等の連結具を用いて側壁部１７ａに取り付けられることにより、浴室を密閉又は開放するように自在に動作可能である。尚、洗い場面７ａ及び出入扉１９はいずれも、浴室と同様に紙段ボールシートで構成できる。図２中の下側に位置する浴室の側壁部１７ｃの内壁面（表面）の、洗い場面７ａに対応する位置には、図３に示すように、例外的にガラス等からなる鏡２１と、紙製のシャワー２２が設けられている。
【００２６】
また鏡の上方の側壁部１７ｃの表面には、紙の例外となる材料を用いた照明装置２４ｃが設けられている。また図２に示すように、この照明装置２４ｃと同じ高さであって、図２中の上側に位置する浴室の側壁部１７ａの表面、及び、左側に位置する浴室の側壁部１７ｂの表面にもそれぞれ、照明装置２４ａ及び照明装置２４ｂが設けられている。照明装置２４ａ〜２４ｃは、いずれも等価な構造であり、それぞれ全体が箱状の筐体と、筐体の内部に設けられた例えば蛍光灯又はＬＥＤライト等の発光装置とを有する。蛍光灯又はＬＥＤライトの反射板及び蛍光管に酸化チタンをコーティングすれば光触媒作用により、消臭、脱臭及び殺菌が出来る為、衛生的である。筐体の一部は浴室と同様に紙段ボールシートで構成できるが、光透過面はガラスやプラスチック等の透光性の材料が好ましい。照明装置２４ａ〜２４ｃの発光装置の光の強度は、強弱が２段階に変化可能に構成され、入浴者の明るさの好みに応じて、適宜切り替え可能である。
【００２７】
また浴室の外には、図２に示すように、ボイラ等の給湯装置７０が設けられ、浴槽１との間に設けられた配管７１を介して浴槽１の内側に、所定の温度に沸いたお湯を供給する。また図２中の上側に位置する浴室の側壁部１７ａの表面の、浴槽１の側壁部の近傍には、給湯温度の設定や呼び出し音の発生等の操作を行うための操作盤９を設けてもよい。
【００２８】
＜肩当て装置の構造＞
肩当て装置３０は、図５に示すように、支持板３１と、支持板３１の上端部に設けられた肩当て板３２とを備える。支持板３１は、略矩形状の１枚の紙段ボールシート板からなり、上端部が、主面に対して略直交するように折り曲げられている。肩当て板３２は、主面が、支持板３１の折り曲げられた上端部の面に沿う曲面として設けられている。
【００２９】
肩当て板３２の支持板３１と反対側の辺の中央には、略台形状の切欠き部が、内側に向かって引っ込むように設けられ、この切欠き部を挟むように、Ｕ字型（コの字型）に右側領域３２ａ及び左側領域３２ｂが配置されている。また肩当て板３２の下側の主面には、例えば摩擦力が比較的大きなゴム等の素材からなる保持力増加板３３が、肩当て板３２の長手方向に沿って両端間に亘り設けられている。
【００３０】
支持板３１の主面の中央には、同じ高さ位置に一対の孔部３１ａ，３１ｂが間隔を空けて並んで貫通形成されている。また図６の斜視図に示すように、孔部３１ａ，３１ｂに対応する高さの凹部２の内壁面には、孔部３１ａ，３１ｂと略同寸法の一対の取り付け孔２ａ，２ｂが形成されている。そして孔部３１ａ，３１ｂの径と略同じ外径の胴体を有するボルト状の一対の固定具３６ａ，３６ｂを、支持板３１の裏面側から、支持板３１の孔部３１ａ，３１ｂ及び凹部２の取り付け孔２ａ，２ｂに同時に差し込むことにより、肩当て板３２が凹部２の上面の開口部の上方に離間するように、支持板３１を凹部２の内壁面に固定できる。
【００３１】
また支持板３１の裏面上には、図６に示すように、一対の柱状の取り付け部材３４ａ，３４ｂが、それぞれ長手方向を上下方向に揃えて、互いに間隔を空けて設けられている。取り付け部材３４ａ，３４ｂは、長手方向に直交する断面の形状がＵ字状となるように、１枚の板状の紙段ボールシートを折り曲げて形成されている。また一対の取り付け部材３４ａ，３４ｂの間を架け渡して、支持板３１と間隔を空けて平行に、押さえ板３５が設けられている。押さえ板３５の主面の中央には、同じ高さ位置に一対の孔部３５ａ，３５ｂが間隔を空けて並んで貫通形成されている。また押さえ板３５の孔部３５ａ，３５ｂに対応する高さの支持板３１の主面には、孔部３５ａ，３５ｂと略同径の一対の取り付け孔３１ｃ，３１ｄが形成されている。
【００３２】
＜ヘッドレスト装置の構造＞
ヘッドレスト装置４０は、図５及び図６に示すように、入浴中の人の頭が接触するヘッドレスト部４１と、ヘッドレスト部４１の人の頭との接触部の反対側に一端が取り付けられた柱状の首部４３とを備える。
【００３３】
ヘッドレスト部４１は主面が入浴者の頭部後面に対向するように設けられ、平面パターンでＵ字状をなすように、左右方向の両端部の厚みが、Ｕ字の凹部２をなす中央部よりも厚くなるように、中央部との間に段差が形成されている。中央部と両端部の間の段差をなすそれぞれの領域には、図５に示すように、防水加工が施されたスピーカ４２ａ，４２ｂがそれぞれ設けられ、図示を省略する音声再生装置に接続してもよい。すなわちヘッドレスト装置４０は、入浴者の頭部を休ませると共に、ヘッドフォン機能を有するように構成可能である。
【００３４】
首部４３は、柱の上端部を除く大部分が略鉛直に直立するように設けられる。首部４３の直立部分は、図６に示すように、肩当て装置３０の支持板３１と一対の取り付け部材３４ａ，３４ｂと押さえ板３５とによって囲まれる空間内に収納され、ヘッドレスト装置４０の直立状態が保持される。また首部４３の上端部は、直立部分に対して略直交するように折り曲げられ、上端面がヘッドレスト部４１に接合している。
【００３５】
首部４３の直立部分には、同じ高さ位置に間隔を空けて並んで貫通形成された２個の孔部からなる対が、上下方向に間隔を空けて３対（４３ａｒ，４３ａｌ），（４３ｂｒ，４３ｂｌ），（４３ｃｒ，４３ｃｌ）形成されている。それぞれの孔部は、押さえ板３５の孔部３５ａ，３５ｂ及び支持板３１の取り付け孔と略同径である。そして首部４３の孔部の径と略同じ外径の胴体を有するボルト状の一対の固定具３６ｃ，３６ｄを、押さえ板３５の孔部３５ａ，３５ｂ、首部４３の任意の孔部対及び支持板３１の取り付け孔３１ｃ，３１ｄに同時に差し込むことにより、首部４３の位置を上下に移動させ、ヘッドレスト部４１が肩当て板３２の上方に飛び出すように配置できる。尚、首部４３の上下の移動は、図６で示したような手動に限らず、自動で行ってもよい。例えば浴槽１の凹部２の中に電動モータ式のリフトシリンダー等の上下動装置を設け、この上下動装置に首部４３の下端部を連結すればよい。
【００３６】
肩当て装置３０及びヘッドレスト装置４０はいずれも大部分が、浴槽１と同様に、紙段ボールシートで構成できる。またスピーカ４２ａ，４２ｂや上下動装置の電気配線等、紙段ボールシート以外であって耐水性が必要な部材には、適宜防水加工が施される。スピーカ４２ａ，４２ｂのオン／オフ切り替えや音量調節、上下動装置の操作等は、操作盤９でまとめて行うように構成可能である。
【００３７】
＜肩当て装置及びヘッドレスト装置の使用方法＞
次に、肩当て装置３０及びヘッドレスト装置４０の使用方法を説明する。肩当て装置３０及びヘッドレスト装置４０は、不使用の時には、図７の断面図に示すように、浴槽１の凹部２の内側にそれぞれの高さが最も低い状態で収納されている。一方、図８の断面図に示すように、使用時には、肩当て装置３０及びヘッドレスト装置４０を入浴者Ｐの寸法に適合する所定の高さ位置にそれぞれ上昇させ、固定する。図８中には、固定具３６ｃが、押さえ板３５の右側の孔部３５ａ、首部４３の最下段の孔部対の右側の孔部４３ｃｒ及び支持板３１の右側の取り付け孔３１ｃに同時に差し込まれた状態が例示されている。
【００３８】
次に、入浴者Ｐは椅子１３に腰かけた後、肩当て装置３０の肩当て板３２の台形状の切欠き部を、入浴者Ｐの首の後側に接触させる。また肩当て板３２の右側領域３２ａを入浴者Ｐの右肩の上面に接触させると共に、左側領域３２ｂを入浴者Ｐの左肩の上面に接触させる。このとき、保持力増加板３３の主面も、入浴者Ｐの右肩及び左型の上面に接触し、入浴者Ｐの姿勢保持を補助する。またヘッドレスト装置４０のヘッドレスト部４１を、入浴者Ｐの後頭部に接触させる。肩当て装置３０及びヘッドレスト装置４０により、入浴者Ｐは頭部及び肩部の位置が一体的に保持され、安定した状態で入浴できる。更に入浴者Ｐは、スピーカ４２ａ，４２ｂから好みの音楽等を再生させて聞くことも可能とすることができるので、この場合は更にリラックスできる。
【００３９】
＜ポータブルシャワー装置＞
また浴槽１の凹部２には、肩当て装置３０及びヘッドレスト装置４０の他にも、各種のアメニティ用の装置をオプションで別途取り付けて用いることができる。例えば図９の斜視図に示すような、入浴者Ｐの肩の上方から水又はお湯の液体ｗをかけるポータブルシャワー装置５０を増設できる。
【００４０】
ポータブルシャワー装置５０は、中空円筒状の上部支持部５１と、この上部支持部５１の下端部に一端部が連結された中空円筒状の中央支持部５２と、この中央支持部５２の他端部に上端部が連結された中空円筒状の下部支持部５３と、を備える。上部支持部５１の上端部には、中空円筒状の第１放水管５４が設けられ、第１放水管５４の長手方向の両端には、一対の中空円筒状の第２放水管５５ａ，５５ｂの一端がそれぞれ嵌合して設けられる。またポータブルシャワー装置５０は、一対の第２放水管５５ａ，５５ｂのそれぞれの他端に、それぞれの一端が嵌合して設けられたいずれも中空円筒状の一対の第３放水管５６ａ，５６ｂを備える。
【００４１】
またポータブルシャワー装置５０は、上部支持部５１の中央に上部支持部５１の長手方向に直交するように延びる中空円筒状の固定部５７を備える。固定部５７の長手方向の両端には、一対の中空円筒状の第１調節部５８ａ，５８ｂの一端がそれぞれ嵌合して設けられる。またポータブルシャワー装置５０は、一対の第１調節部５８ａ，５８ｂのそれぞれの他端に、それぞれの一端が嵌合して設けられたいずれも中空円筒状の一対の第２調節部５９ａ，５９ｂを備える。またポータブルシャワー装置５０の下部支持部５３の下端部には、液体ｗを送り出すポンプ６０が設けられる。
【００４２】
上部支持部５１は、図９に示すように、互いに同径で、同軸上に配置された２本の端部用筒状部材５１ｃ，５１ｅと、外径が２本の端部用筒状部材５１ｃ，５１ｅの内径と同じか僅かに短く構成され、端部用筒状部材５１ｃ，５１ｅと同軸でそれぞれの内側に緩やかに嵌め合って、いわゆる入れ子状態で設けられた中央筒状部材５１ｄが例示されている。２本の端部用筒状部材５１ｃ，５１ｅ及び中央筒状部材５１ｄは、互いに長手方向に摺動自在に構成され、中央筒状部材５１ｄを挟む端部用筒状部材５１ｃ，５１ｅ管の間隔を調節することにより、上部支持部５１の上下方向の長さは調節可能に構成されている。
【００４３】
また上側の端部用筒状部材５１ｃの中央筒状部材５１ｄと反対側の端部には、中空円筒状の首部５１ｂの一端が設けられている。また首部５１ｂの他端には、中空円筒状の連結部５１ａの一端が同軸で設けられ、連結部５１ａの他端は第１放水管５４の側壁に開口して取り付けられている。首部５１ｂは、中央が約９０°折り曲げられて形成され、端部用筒状部材５１ｃの軸と連結部５１ａの軸が略直交するように構成されている。
【００４４】
中央支持部５２は、中央の直線状の部分が略水平に配置されると共に、両端が中央の軸に対して直交するようにＺ字状に折り曲げられている。また中央支持部５２の一端と他端は、中央を挟んで互いに点対称に位置するように構成されている。中央支持部５２の一端に上部支持部５１の下端が連結されると共に、中央支持部５２の他端に下部支持部５３の上端が連結されることにより、上部支持部５１の軸心と下部支持部５３の軸心が同一直線上に位置せず、偏心した状態が形成される。
【００４５】
ポンプ６０は配線を介して図示を省略する電源に接続される。図９中には、電源に接続されたコンセントに差し込むためのプラグと、プラグとポンプ６０との間に操作盤９が配置され、ポンプの動作が制御される状態が例示されている。
【００４６】
第１放水管５４、第２放水管５５ａ，５５ｂ及び第３放水管５６ａ，５６ｂは、図１０の断面図に例示したように、いずれも壁面の一部が揃って開口し、開口部から液体ｗを同一方向に放出する。開口部は、それぞれの放水管の最下部に設けられており、上部支持部５１から第１放水管５４内に送り込まれた液体ｗは、第１放水管５４から一対の第２放水管５５ａ，５５ｂのそれぞれの内側に、更にそれぞれの第２放水管５５ａ，５５ｂからそれぞれ対応する第３放水管５６ａ，５６ｂの内側に、順次送り込まれる。そして、第１放水管５４、第２放水管５５ａ，５５ｂ及び第３放水管５６ａ，５６ｂのそれぞれの内側から、開口部を介して放水管の外側に、水圧及び重力により放出される。
【００４７】
第２放水管５５ａ，５５ｂの外径は、第１放水管５４の内径と同じか僅かに短く構成され、いわゆる入れ子状態が形成されるように、第１放水管５４の内側に緩やかに嵌め合って設けられている。そのため第２放水管５５ａ，５５ｂは、いずれも第１放水管５４の内側から突出する長さが調節できるように、長手方向に摺動自在に構成されている。
【００４８】
また第３放水管５６ａ，５６ｂの外径は、第２放水管５５ａ，５５ｂの内径と同じか僅かに短く構成され、それぞれ対応する第２放水管５５ａ，５５ｂの内側に緩やかに嵌め合って設けられている。そのため第３放水管５６ａ，５６ｂも、対応する第２放水管５５ａ，５５ｂの内側から突出する長さが調節できるように、長手方向に摺動自在に構成されている。すなわち、第１放水管５４、第２放水管５５ａ，５５ｂ及び第３放水管５６ａ，５６ｂからなる放水部は、長手方向に伸縮自在であり、放水領域の長さを調節可能である。
【００４９】
第１調節部５８ａ，５８ｂの外径は、固定部５７の内径と同じか僅かに短く構成され、いわゆる入れ子状態が形成されるように、固定部５７の内側に緩やかに嵌め合って設けられている。そのため第１調節部５８ａ，５８ｂは、いずれも固定部５７の内側から突出する長さが調節できるように、長手方向に摺動自在に構成されている。
【００５０】
第２調節部５９ａ，５９ｂは中央が約９０°曲がったＬ字状であり、第１調節部５８ａ，５８ｂと反対側の端部にはそれぞれ、略円柱状の突起部６５ａ，６５ｂが設けられている。一対の突起部６５ａ，６５ｂの径は、図６で示した凹部２の取り付け孔２ａ，２ｂの径と略同じである。また第２調節部５９ａ，５９ｂの外径は、第１調節部５８ａ，５８ｂの内径と同じか僅かに短く構成され、それぞれ対応する第１調節部５８ａ，５８ｂの内側に緩やかに嵌め合って設けられている。そのため第２調節部５９ａ，５９ｂも、対応する第１調節部５８ａ，５８ｂの内側から突出する長さが調節できるように、長手方向に摺動自在に構成されている。すなわち、固定部５７、第１調節部５８ａ，５８ｂ及び第２調節部５９ａ，５９ｂからなる取り付け部は、長手方向に伸縮自在であり、ポータブルシャワー装置５０の凹部２への取り付け長さを調節可能である。ポータブルシャワー装置５０は、ポンプ６０及びポンプ６０に接続される配線を除き、略全体を紙段ボールシートで構成できる。
【００５１】
＜ポータブルシャワー装置の設置方法及び使用方法＞
次に、ポータブルシャワー装置５０の設置方法及び使用方法を説明する。まず図４中に点線で例示したように、ポンプ６０を浴槽１の底部の上面で頭側の端部寄り位置に配置し、ポンプ６０に下部支持部５３を連結する。また浴槽１のポンプ６０寄りの側壁部に、中央支持部５２を差し込む孔を予め形成しておき、この孔に、下部支持部５３に連結された中央支持部５２を差し込む。また凹部２の底面に上部支持部５１を差し込む孔を予め形成しておき、この孔に、上部支持部５１の下端部を差し込み、差し込んだ下端部と中央支持部５２とを連結する。次に、上部支持部５１に放水部（５４，５５ａ，５５ｂ，５６ａ，５６ｂ）を連結する。
【００５２】
次に、放水部（５４，５５ａ，５５ｂ，５６ａ，５６ｂ）が所望の高さに位置するように、上部支持部５１の長さ及び首部５１ｂの傾斜角度を調節する。次に、取り付け部（５７，５８ａ，５８ｂ，５９ａ，５９ｂ）の第１調節部５８ａ，５８ｂ及び第２調節部５９ａ，５９ｂの突出長さを適宜調節し、突起部６５ａ，６５ｂと凹部２の取り付け孔２ａ，２ｂとの左右方向の位置を合わせる。
【００５３】
そして第２調節部５９ａ，５９ｂの突起部６５ａ，６５ｂを、浴槽１の凹部２の取り付け孔２ａ，２ｂにそれぞれ差し込み、放水部（５４，５５ａ，５５ｂ，５６ａ，５６ｂ）の高さ位置を固定する。このとき突起部を差し込む孔として、肩当て装置３０の固定具３６ａ，３６ｂに対応して形成された凹部２側の取り付け孔を使用できる。以上により、ポータブルシャワー装置５０の浴槽１への設置が完了する。
【００５４】
次に、ポンプ６０の電源をオンし、ポンプ６０の下面側から浴槽１内の液体ｗを汲み上げて下部支持部５３の筒の内側に送り込む。そして、下部支持部５３内に送り込んだ液体ｗを中央支持部５２へ、更に中央支持部５２から上部支持部５１へと、ポンプ６０の圧力により、順次送り出す。
【００５５】
次に、第２放水管５５ａ，５５ｂ及び第３放水管５６ａ，５６ｂをそれぞれ任意の長さ突出させ、所望の放水領域が実現できるように、放水部の長さを調節する。放水部の長さの調節は、ポンプ６０の駆動前に行ってもよい。そして操作盤９を操作してポンプを所望の回転数で駆動させ、放水部より浴槽１中の液体ｗ（お湯）を、放水量を調節しながら、入浴者Ｐの首筋から左右の肩の上部に放水させる。入浴者Ｐは、液体ｗの衝突力によるマッサージ効果により、更にリラックスした状態で半身浴をする事が出来、心臓に負担をかけることなく入浴を楽しむことができ、疲労回復及び心身の健康促進を図ることができる。
【００５６】
本発明の実施の形態に係る浴槽１によれば、浴槽１の底部及び側壁部すべてが紙段ボールシート製であるので軽量であり、運搬が容易である。また廃棄時には浴槽１を容易にリサイクルできるため、環境に優しい。
また本発明の実施の形態に係る浴槽１には、肩当て装置３０、ヘッドレスト装置４０及びポータブルシャワー装置５０を設置でき、入浴による疲労回復及び心身の健康促進効果を高めることができる。またこれらの装置はいずれも浴槽１と同様に紙段ボールシート製で構成できるので軽量であり、運搬が容易である。加えて、廃棄時には浴槽１と同時に、容易にリサイクルできる。
更に本発明の実施の形態に係る浴室は、床部７、側壁部１７ａ〜１７ｄ、天井部１７ｅ、出入扉すべてが紙段ボールシート製であるので、浴槽１と同様に軽量であり、運搬が容易である。加えて廃棄時には容易にリサイクルできる。すなわち浴室全体が略すべて紙段ボールシート製であることにより、任意の場所に搬送可能であり、例えば介護が必要な高齢者等が気分転換を希望したときに、一時的な仮設住宅や避難施設のように浴室が十分に整備されていない場所であっても容易に対応でき、利便性が高い。更に、総合的に環境への負荷を抑えることができる。
【００５７】
−−第２の実施形態−−
本発明に係る浴室は、図１１の上面図に示すように、洗い場面７ａの床下に循環パイプ８０を設け、この循環パイプ８０に浴槽１中のお湯を通して、お湯の熱を洗い場面７ａの床部７に伝達して暖めるように構成できる。すなわち第２の実施の形態に係る浴室は、第１の実施の形態で説明した浴室において、更に浴槽１中のお湯の循環構造を備える点で、第１の実施の形態と異なる。
【００５８】
第２の実施の形態に係る浴室は、第１の実施の形態の場合と同様に、紙段ボールシートからなる浴槽１と、浴室の洗い場面７ａの床下に設けられた循環パイプ８０と、を備える。第２の実施の形態に係る浴室は、循環パイプ８０以外の構造については、第１の実施の形態におけるそれぞれ同名の部材と等価であるため、以下、重複説明を省略し、主に循環パイプ８０及びお湯の循環構造に関して説明する。
【００５９】
循環パイプ８０の、お湯の入側となる端部は、図１２の断面図に示すように、浴槽１の洗い場面７ａ寄りの側壁部の主面に直交し、この側壁部を貫通して延びている。循環パイプ８０は、浴槽１側から洗い場面７ａ側に移行した後、図１１に示したように、平面パターンで、洗い場面７ａの床下で存在領域が可能な限り多くなるように、蛇行を繰り返し、最終的にはお湯の出側となる端部が、入側の端部の横に位置するように設けられている。尚、循環パイプ８０の蛇行パターンは、図１１に例示したものに限定されず、適宜変更して設定できる。
【００６０】
浴槽１の底部又は洗い場面７ａの床下には、図示を省略する循環ポンプが設けられ、循環パイプ８０に接続されている。また循環ポンプは操作盤９に接続され、ポータブルシャワー装置５０の場合と同様に、駆動が制御されている。
【００６１】
図１３の一部断面図に示すように、洗い場面７ａの床部７は、中芯が５段積層された構造である。中芯を上下で挟み込んだ２層のライナ間の厚みｈ１は、例えば１ｃｍ程度であり、洗い場面７ａの床全体の厚みｈ２は、５ｃｍ程度であるが、厚みｈ１，ｈ２は適宜変更されてよい。循環パイプ８０が、５段のうち最上段の紙段ボールシートの内側の中芯の空隙に差し込まれていることにより、循環パイプ８０と洗い場面７ａの床面との距離が、下側の紙段ボールシートに差し込まれる場合より短くなり、お湯の熱を効率的に活用できる。循環パイプ８０は、浴槽１と同様に、紙段ボールシートで構成できる。
【００６２】
第２の実施の形態に係る浴室によれば、循環パイプ８０に浴槽１中のお湯を通して、お湯の熱を洗い場面７ａの床部７に伝達して暖める。そのため寒い時期の入浴であっても、洗い場面７ａの床面の温度低下を抑制し、寒さに震えることなく快適に洗い場面７ａで行動できる。また入浴前に、予め洗い場面７ａの床部７を暖めておけば、脱衣場から浴室への移動による急激な温度変化による身体へのストレスを低減でき、特に、高齢者等、温度変化による身体への負担が大きくなる入浴者にとって有効である。第２の実施の形態に係る浴室の他の効果については、第１の実施の形態の場合と同様である。
【００６３】
本発明は上記のとおり開示した実施の形態によって説明したが、この開示の一部をなす論述及び図面は、本発明を限定するものであると理解すべきではない。この開示から当業者には様々な代替実施の形態、実施例及び運用技術が明らかになると考えられるべきである。例えば図１〜図１３中に例示した浴槽１は、バスタブ構造の内壁の枚数が５面であり、内部空間が略直方体状をなすように構成されているが、この枚数は５面に限定されず、側壁部の個数に応じて４面、９面等、適宜変更しても本発明を構成できる。
【００６４】
以上のとおり本発明は、本明細書及び図面に記載していない様々な実施の形態等を含むとともに、本発明の技術的範囲は、上記の説明から妥当な特許請求の範囲に係る発明特定事項によってのみ定められるものである。
【産業上の利用可能性】
【００６５】
本発明は、高齢者対策や健康産業、更には医療、福祉の技術分野に利用可能であり、プラスチックや陶器等の環境への負荷が大きい工業製品を用いることなく、リサイクルが容易で環境に優しい浴槽及び浴室を提供できるため、廃棄処理において特に好適である。
【符号の説明】
【００６６】
１  浴槽
２  凹部
３  排水口
５ａ，５ｂ  手すり
７  床部
７ａ  洗い場面
９  操作盤
１１  座板
１３  椅子
１５ａ，１５ｂ  足バンド
１７ａ〜１７ｄ  側壁部
１７ｅ  天井部
１９  出入扉
２１  鏡
２２  シャワー
２４ａ〜２４ｃ  照明装置
３０  肩当て装置
３１  支持板
３１ａ，３１ｂ  孔部
３２  肩当て板
３３  保持力増加板
３４ａ，３４ｂ  取り付け部材
３５  押さえ板
４０  ヘッドレスト装置
４１  ヘッドレスト部
４２ａ，４２ｂ  スピーカ
４３  首部
５０  ポータブルシャワー装置
５１  上部支持部
５２  中央支持部
５３  下部支持部
５４  第１放水管
５５ａ，５５ｂ  第２放水管
５６ａ，５６ｂ  第３放水管
５７  固定部
５８ａ，５８ｂ  第１調節部
５９ａ，５９ｂ  第２調節部
６０  ポンプ
７０  給湯装置
８０  循環パイプ
ｗ  液体（水又はお湯）
Ｐ  入浴者
【要約】
【課題】運搬が容易で、且つ、廃棄時にリサイクルが容易で環境に優しい浴槽及び浴室を提供する。
【解決手段】浴槽１は、紙段ボールシートからなる底面と、紙段ボールシートからなり、底面に連続する内側面と、を備え、底面と内側面とでバスタブ形状を構成する。また浴室は、この浴槽１と、床部７、側壁部１７ａ，１７ｂ，１７ｃ及び天井のうち少なくとも１箇所が紙段ボールシートからなる床部７、側壁部１７ａ，１７ｂ，１７ｃ及び天井と、を備える。
【選択図】  図１【図１】
0005943246.tif 000002
【図２】
0005943246.tif 000003
【図３】
0005943246.tif 000004
【図４】
0005943246.tif 000005
【図５】
0005943246.tif 000006
【図６】
0005943246.tif 000007
【図７】
0005943246.tif 000008
【図８】
0005943246.tif 000009
【図９】
0005943246.tif 000010
【図１０】
0005943246.tif 000011
【図１１】
0005943246.tif 000012
【図１２】
0005943246.tif 000013
【図１３】
0005943246.tif 000014